(57)【要約】      （修正有）【課題】セキュリティを必要とする部屋への入退室を許可された者の所有するＩＤカードにより、室内外の出入を制限するドアが解錠されている間に、許可されたＩＤカードを所有していない者まで入退室を行った場合はその不正入退室を検出し、迅速な警報・警備装置の作動を目的とする。【解決手段】入退室者を検出する第一の検出手段１１、１２として接触または非接触型ＩＤカードを用いることとは別に、部屋の入退室者の通過を検出するための第二の検出手段１３を設け、第一の検出手段１１、１２により検出した入退室者の人数と第二の検出手段１３により検出した入退室者の人数を照合する手段をとる。照合不可の場合はＩＤカードを所有していない者が入退室を行っていると判断し、速やかに警報・警備を行うことができる。【選択図】        図１
2004316331.tif 000002
【特許請求の範囲】
【請求項１】
部屋への入退室者ごとに固有のＩＤカードを携帯させ、管理区域の出入口を管理点とし、ＩＤカードからの信号を読み取る第一の検出手段と、入退室者の通過を検出する第二の検出手段とを設け、複数の管理点での入退室者の存在を第一の検出手段と第二の検出手段とで検出し、検出手段からの入退室者情報を入退室者検出制御装置に集積し、統合した入退室者情報を管理装置に送信して入退室者を管理し、不正入退室発生時の速やかな対応を特徴とするエントランス・システム。
【発明の詳細な説明】
【０００１】
【発明の属する技術分野】
本発明はエントランス・システム等に関するものである。
【０００２】
【従来の技術】
従来のエントランス・システムにおいて、接触または非接触型ＩＤカードを用いて部屋の入退室者の検出、ドアの施錠・解錠、および管理を行う方法がある。これによれば、部屋の出入口から入退室する際に入退室者が所有するＩＤカードを部屋の出入口付近に設置されたカードリーダに挿入または照らすことにより、ＩＤカードに記録されている入退室者情報が読み取られ、この読み取られた入退室者情報により入退室の可否が判断され、入退室の許可されている者のＩＤカードであれば、部屋のドアの電気錠を解錠するようになっている。
【０００３】
【発明が解決しようとする課題】
しかしながら、上記従来例では、一人の入退室者がＩＤカードを所有して入退室を行い、ドアが解錠されている間ならば、ＩＤカードを所有していない者までもが続けて入退室が行えてしまうという問題があった。
【０００４】
【課題を解決するための手段】
本発明では従来例の課題を解決するために、入退室者を検出する第一の検出手段として接触または非接触型カードを用いることとは別に、部屋の入退室者の通過を検出するための第二の検出手段を設け、第一の検出手段により検出した入退室者の人数と第二の検出手段により検出した入退室者の人数を照合し、照合不可の場合はカードを所有していない者が入退室を行っていると判断し、速やかに警報・警備を行うエントランス・システムを提供する。
【０００５】
【発明の実施の形態】
本発明の実施の形態について図面を参照して説明する。
【０００６】
【実施例】
（第１の実施例）
図１は本発明のエントランス・システムの１実施例を示す図である。図１において、１５はセキュリティを必要とする部屋で、１４は室内外の出入を制限するドアである。１１は室内から室外へ退室するための非接触型カードリーダ、１２は室外から室内へ入室するための非接触型カードリーダ、１３は実際の入退室者の数を検出するためのカメラである。セキュリティを必要とする部屋１５に備えられている常時施錠状態となっているドア１４は非接触型カードリーダ１１および１２と電気的に接続され、非接触型ＩＤカードからの信号によってドア１４の電気錠が解錠される。また、ドア１４付近には通過する入退室者を検出するためのカメラ１３を設置し、常時入退室者の人数を検出している。
【０００７】
図２は本発明の動作を示すフローチャートである。室外から室内への入室を行う場合について説明する。ステップ２１ではドア１４の電気錠を施錠状態にし、人の出入ができないようにしている。ステップ２２では非接触型カードリーダ１２が非接触型ＩＤカードの情報を受信したかどうかをみている。受信していない場合、電気錠は施錠状態を保つ。受信した場合は、ステップ２３において非接触型ＩＤカードの情報が部屋１５の入室を許可するものかどうかを照合する。部屋１５の入室を許可する情報を含む非接触型ＩＤカードであれば、ステップ２４でドア１４は解錠状態となる。ここで、非接触型ＩＤカードに含まれる情報が入室を許可するものでなかったり、非接触型ＩＤカードを所持していない者が近づいたとしても、ドア１４は解錠されることはない。ステップ２４では、ドア１４の解錠と同時に部屋１５への入室者の通過人数とその通過方向をカメラ１３で検出している。ステップ２５では、非接触型カードリーダ１２の受信した入室許可を含んだ情報の数とカメラ１３で検出した入室者の数とを比較している。比較の結果、数が同じ場合は異常なしということで一定時間解錠状態を保つ（ステップ２６）。比較の結果、数が同じでない場合は異常あり（不正入室者あり）という判断を下し、警報・警備装置を作動させ、さらにカメラ１３で捕らえていた映像を保存、ディスプレイや用紙に出力し、不正入室者の捜索に役立てる（ステップ２７）。室内から室外への退室を行う場合は、非接触型ＩＤカードの情報を受信する非接触型カードリーダは１１であることを除き、上記の入室を行う場合の説明と同様である。
【０００８】
図３は入室中に退室または退室中に入室を行った場合の動作を示すフローチャートである。室外から室内への入室中に室内から室外への退室を行おうとした場合について説明する。ステップ３１ではドア１４の電気錠を施錠状態にし、人の出入ができないようにしている。ステップ３２では非接触型カードリーダ１２が非接触型ＩＤカードの情報を受信したかどうかをみている。受信していない場合、電気錠は施錠状態を保つ。受信した場合は、ステップ３３において非接触型ＩＤカードの情報が部屋１５の入室を許可するものかどうかを照合する。照合結果、非接触型ＩＤカードの情報は入室を許可するものであり、ステップ３４において行為が入室の場合、ステップ３５でドア１４は解錠状態となる。ここで、非接触型ＩＤカードに含まれる情報が入室を許可するものでなかったり、非接触型ＩＤカードを所持していない者が近づいたとしても、ドア１４は解錠されることはない。ステップ３５では、ドア１４の解錠と同時に部屋１５への入室の通過人数とその通過方向をカメラ１３で検出している。ステップ３６では、非接触型カードリーダ１２の受信した入室許可を含んだ情報の数とカメラ１３で検出した入室者の数とを比較している。比較の結果、数が同じでない場合は異常あり（不正入室者あり）という判断を下し、警報・警備装置を作動させ、さらにカメラ１３で捕らえていた映像を保存、ディスプレイや用紙に出力し、不正入室者の捜索に役立てる（ステップ３７）。比較の結果、数が同じ場合は異常なしということで一定時間解錠状態を保つ。ステップ３８において解錠状態に退室行為があるかどうかみている。退室行為がある場合、ステップ３９において非接触型ＩＤカードの情報が部屋１５の退室を許可するものかどうかを照合する。照合結果、非接触型ＩＤカードの情報が退室を許可するものでない場合は、ステップ３７において異常あり（不正退室者あり）という判断を下し、警報・警備装置を作動させ、さらにカメラ１３で捕らえていた映像を保存、ディスプレイや用紙に出力し、不正退室者の捜索に役立てる（ステップ３７）。照合結果、非接触型ＩＤカードの情報が退室を許可するものである場合は、ステップ３１０において受信した非接触型ＩＤカードの情報が入室者のものかどうかみている。ここで、入室者のものである場合は非接触型ＩＤカード数から入室者数を引き（ステップ３１１）、ステップ３１２において退室者数とステップ３１１の演算結果の数を比較している。比較の結果、数が同じでない場合は異常あり（不正退室者あり）という判断を下し、警報・警備装置を作動させ、さらにカメラ１３で捕らえていた映像を保存、ディスプレイや用紙に出力し、不正退室者の捜索に役立てる（ステップ３７）。比較の結果、数が同じ場合は異常なしということで一定時間解錠状態を保ち続ける。室内から室外への退室中に室外から室内への入室を行おうとした場合は、ステップ３４において行為が退室である、つまりステップ３１３へと動作は流れ、入室を退室、退室を入室と置き換えてみれば、上記の入室中に退室を行おうとした場合の説明と同様になる。
【０００９】
【発明の効果】
以上述べたように、本発明によれば、カードリーダのような第一の検出手段の他にカメラのような第二の検出手段を設けることで、部屋の入退室の許可された者の所有するＩＤカードによりドアが解錠されている間に許可されたＩＤカードを所有していない者まで入退室を行った場合はそれを検出することができる。部屋の入退室の許可されていない者の不正入退室行為への迅速な対応ができるという効果がある。
【図面の簡単な説明】
【図１】本発明の１実施例であるエントランス・システムの構成図である。
【図２】本発明の動作を示すフローチャートである。
【図３】入室中に退室（退室中に入室）を行った場合の動作を示すフローチャートである。
【符号の説明】
１１  カードリーダ（室内−＞室外）
１２  カードリーダ（室外−＞室内）
１３  カメラ
１４  ドア
１５  部屋
【図１】
2004316331.tif 000003
【図２】
2004316331.tif 000004
【図３】
2004316331.tif 000005